(57)【要約】      （修正有）【課題】飯盛りに必要な力を軽減することができる飯杓子を提供する。【解決手段】縦向き軸線と縦向き軸線に沿って分離された先端部及び後端部とを含むハンドルと、ハンドルの先端部から外方へ延在しており、中心及びハンドルの先端部を通過する延在軸線を含み、延在軸線とハンドルの縦向き軸線とが交差して所定の角度が形成されることで、ハンドルに対して所定の角度だけ折り曲げられる杓子部と、を備える。【選択図】図２
0003179201.tif 000002
【実用新案登録請求の範囲】
【請求項１】
縦向き軸線と前記縦向き軸線に沿って分離された先端部及び後端部とを含むハンドルと、
前記ハンドルの先端部から外方へ延在しており、中心及び前記ハンドルの先端部を通過する延在軸線を含み、前記延在軸線と前記ハンドルの縦向き軸線とが交差して１５〜４５度の角度が形成されることで、前記ハンドルに対して前記角度だけ折り曲げられる杓子部と、
を備えることを特徴とする飯杓子。
【請求項２】
前記ハンドルの先端部は、前記縦向き軸線に対して一方の側に湾曲延在することを特徴とする請求項１に記載の飯杓子。
【請求項３】
前記ハンドルの後端部には吊り下げが容易な円孔が設けられ、前記先端部と前記後端部との間には開口溝が設けられていることを特徴とする請求項２に記載の飯杓子。
【請求項４】
前記ハンドルの後端部には台座が設けられていることを特徴とする請求項１に記載の飯杓子。
【考案の詳細な説明】
【技術分野】
【０００１】
本考案は、飯杓子に関し、特に、杓子部がハンドルに対して所定の傾斜角度が形成され、ご飯を盛る過程におけるユーザの手部の姿勢を低い位置に維持可能にする飯杓子に関するものである。
【背景技術】
【０００２】
飯杓子は、ご飯を盛るのに広く使用されている。図１に示すように、従来の飯杓子は、ハンドル２６と杓子部２８とを含む。ハンドル２６の縦向き軸線は、杓子部２８の延在軸線と重なり合っており、即ちハンドル２６は、杓子部２８に対して傾斜角度を有せず、直柄形態となっている。ユーザがハンドル２６を握って杓子部２８で電気釜２４からご飯を盛る場合には、ユーザの手部３０及びハンドル２６は、水平面に対して約４５〜６０度となっている（Ａで示す）。杓子部２８及びハンドル２６が一直線となっており、それに伴って杓子部２８も水平面に対して約４５〜６０度となっているため、手部３０及びハンドル２６は、比較的に大きな傾斜程度でなければ、杓子部２８に必要な飯盛り傾角を形成することができない。しかしながらこのようにすると、飯盛りに力を容易に入れるためには、飯盛り過程における手部姿勢を比較的に高い位置に維持する必要がある。従って、この従来の飯杓子は、人体工学に合う程度が低く、ユーザの手部にとって負担や操作上の不便があり、ユーザは、ご飯を盛る場合、大変力を要する。
【考案の概要】
【考案が解決しようとする課題】
【０００３】
そこで、本考案は、上述した課題を解決するための飯杓子を提供することを目的とする。この飯杓子は、杓子部がハンドルに対して所定の傾斜角度を有し、該傾斜角度によって使用過程における杓子部に必要な飯盛り角度を提供することができ、ユーザの飯盛り過程における手部姿勢は、比較的に低い位置に維持することができ、飯盛りに必要な力を軽減することができる。
【課題を解決するための手段】
【０００４】
本考案は、縦向き軸線と前記縦向き軸線に沿って分離された先端部及び後端部とを含むハンドルと、前記ハンドルの先端部から外方へ延在しており、中心及び前記ハンドルの先端部を通過する延在軸線を含み、前記延在軸線と前記ハンドルの縦向き軸線とが交差して所定の角度が形成されることで、前記ハンドルに対して前記角度だけ折り曲げられる杓子部と、を備えることを特徴とする飯杓子を提供する。
【考案の効果】
【０００５】
本考案に係る飯杓子によれば、ユーザは、ご飯を盛る場合における手部の姿勢を比較的に低い位置に維持することができ、飯盛りに必要な力が軽減し、人体工学に符合し、製品使用の快適性をより向上することができる。
【図面の簡単な説明】
【０００６】
【図１】従来の飯杓子でご飯を盛る場合の実施状態の模式図を示す。
【図２】本考案に係る第１の実施例に基づいて構成された飯杓子の模式図を示す。
【図３】図２の飯杓子でご飯を盛る場合の実施状態の模式図を示す。
【図４】本考案に係る第２の実施例に基づいて構成された飯杓子の模式図を示す。
【考案を実施するための形態】
【０００７】
図２は、本考案に係る一実施例に基づいて構成された飯杓子を示す。該飯杓子は、ハンドル１０と杓子部１４とを含む。ハンドル１０は、縦向き軸線１１と前記縦向き軸線１１に沿って分離された先端部１２及び後端部１３とを含む。この実施例において、先端部１２は、縦向き軸線１１に対して一方の側に湾曲延在し、後端部１３には、該飯杓子が容易に収容や整理されるように、該飯杓子の吊り下げが容易になるための円孔２０が設けられている。ハンドル１０は、先端部１２と後端部１３との間に、該飯杓子の重量を軽減させるための開口溝１８が設けられている。
【０００８】
杓子部１４は、ハンドル１０の先端部１２から外方へ延在することで、ハンドル１０に対して該側縁へ湾曲延在する。杓子部１４は、扁平状となっており、杓子部１４の中心及びハンドル１０の先端部１２を通過する延在軸線２１を含み、延在軸線２１とハンドル１０の縦向き軸線１１とが交差して所定の角度１６（Ｒで示す）が形成されることで、ハンドル１０に対して該角度１６だけ折り曲げられる。角度１６は１５〜４５度であることが好ましく、１５〜３０度であることがより好ましい。
【０００９】
本考案に係る飯杓子を使用する際に、図３に示すように、ユーザがハンドル１０を手で握って杓子部１４で電気釜２４からご飯を盛る場合には、ユーザの手部３０及びハンドル１０は、水平面に対して約１５度となっており、それに加えて杓子部１４がハンドル１０に対して約１５〜４５度だけ傾斜しているため、杓子部１４は、水平面に対して約３０〜６０度となっている。従って、ユーザの手部３０及びハンドル１０は、水平に近づく状態において杓子部１４に必要な飯盛り角度を提供することができる。これにより、飯盛り過程における手部の姿勢は、比較的に低い位置に維持することができ、飯盛りに必要な力を軽減し、人体工学に符合し、飯盛り操作の快適性をより向上することができる。
【００１０】
図４は、本考案に係る他の実施例の飯杓子を示す。該飯杓子は、ハンドル１０と杓子部１４とを含む。杓子部１４の延在軸線２１とハンドル１０の縦向き軸線１１とが交差して１５〜４５度（Ｒで示す）が形成されることで、杓子部は、ハンドル１０に対して該角度１６だけ折り曲げられる。この実施例において、先端部１２が縦向き軸線１１に対して一方の側に湾曲することはないほか、ハンドル１０の後端部１３に台座２２が設けられているため、該飯杓子を例えばテーブルの平面にしっかり固定させることができる。
【００１１】
本考案に係る飯杓子によれば、杓子部１４がハンドル１０に対して約１５〜４５度の傾斜角度が形成されるとともに、ユーザの手部３０がハンドル１０を握る際に生じた最初操作傾斜角度を考慮することにより、杓子部１４は、好ましい把持角度及び高さの場合に従来の直柄式飯杓子と同様な飯盛り切り込み角度を得ることができ、人体工学に符合し、直感的な操作機能、省力化等の様々な効果を図ることができるため、飯杓子の使用利便性を効果的に提供することができる。また、杓子部１４は、ハンドル１０の先端部１２から一体的に外方へ延在するため、全体的な美観性及び構造強度の要求を兼ねることができる。また、該飯杓子が厚さ方向の構造対称性を有するため、右手利きのユーザにしても左手利きのユーザにしても容易に操作することができるため、飯杓子の適用性における開発や生産コストが増加することはない。
【００１２】
上述したものは、本考案の好ましい実施例に過ぎず、本考案の実施の範囲を限定するためのものではなく、本考案の明細書及び図面内容に基づいてなされた均等な変更および付加は、いずれも本考案の登録請求範囲内に含まれるものとする。
【００１３】
以上のように、本考案では、縦向き軸線と前記縦向き軸線に沿って分離された先端部及び後端部とを含むハンドルと、前記ハンドルの先端部から外方へ延在しており、中心及び前記ハンドルの先端部を通過する延在軸線を含み、前記延在軸線と前記ハンドルの縦向き軸線とが交差して１５〜４５度の角度が形成されることで、前記ハンドルに対して前記角度だけ折り曲げられる杓子部と、を備えることを特徴とする飯杓子とするものである。
【００１４】
また、前記ハンドルの先端部は、前記縦向き軸線に対して一方の側に湾曲延在するものとする。
【００１５】
また、前記ハンドルの後端部には吊り下げが容易な円孔が設けられ、前記先端部と前記後端部との間には開口溝が設けられているものとする。
【００１６】
また、前記ハンドルの後端部には台座が設けられているものとする。
【産業上の利用可能性】
【００１７】
本考案に係る飯杓子によれば、ユーザは、ご飯を盛る場合における手部の姿勢を比較的に低い位置に維持することができ、飯盛りに必要な力が軽減し、人体工学に符合し、製品使用の快適性をより向上することができる。
【符号の説明】
【００１８】
１０  ハンドル
１１  縦向き軸線
１２  先端部
１３  後端部
１４  杓子部
１６  角度
１８  開口溝
２０  円孔
２１  延在軸線
２２  台座
２４  電気釜
２６  ハンドル
２８  杓子部
３０  手部
【図１】
0003179201.tif 000003
【図２】
0003179201.tif 000004
【図３】
0003179201.tif 000005
【図４】
0003179201.tif 000006